(57)【要約】【課題】薬剤の揮散量の経時的な減少を長期にわたって抑制することができる揮散装置を提供する。【解決手段】本発明の揮散装置１０は、筒状の周壁と、周壁の一端を塞ぐ底壁と、薬剤を揮散させる揮散孔を有し、周壁の他端に着脱可能に設けた蓋体と、を有する。周壁は、一端と他端の間で当該周壁を分割する分割部分を有する。【選択図】図１
2020078390.tif 000002
【特許請求の範囲】
【請求項１】
筒状の周壁と、
前記周壁の一端を塞ぐ底壁と、
薬剤を揮散させる揮散孔を有し、前記周壁の他端に着脱可能に設けた蓋体と、を有し、
前記周壁が、前記一端と前記他端の間で当該周壁を分割する分割部分を有する、
揮散装置。
【請求項２】
前記周壁は、薬剤の残量を視認するための窓部を有する、
請求項１の揮散装置。
【請求項３】
前記分割部分は、前記窓部の縁に設けられている、
請求項２の揮散装置。
【請求項４】
筒状の周壁と、前記周壁の一端を塞ぐ底壁と、薬剤を揮散させる揮散孔を有し、前記周壁の他端に着脱可能に設けた蓋体と、を有する外容器と、
前記外容器内に収容配置され、前記周壁の他端側に前記蓋体に対向する開口部を有し、揮発性を有する薬剤を収容した内容器と、を有し、
前記外容器の前記周壁が、前記一端と前記他端の間で当該周壁を分割する第１分割部分を有し、
前記内容器が前記外容器の前記第１分割部分に対向する位置で当該内容器を分割する第２分割部分を有する、
揮散装置。
【請求項５】
前記内容器は、薬剤の残量を視認可能な透明な材料により形成されている、
請求項４の揮散装置。
【請求項６】
前記外容器の前記周壁は、前記内容器内に残った薬剤の残量を視認するための窓部を有する、
請求項５の揮散装置。
【請求項７】
前記第１分割部分は、前記窓部の縁に設けられている、
請求項６の揮散装置。
【発明の詳細な説明】
【技術分野】
【０００１】
本発明は、例えば、芳香剤や消臭剤などの揮発性を有する薬剤を揮散させる揮散装置に関する。
【背景技術】
【０００２】
芳香剤や消臭剤などの薬剤を揮散させる揮散装置として、例えば、上端に揮散孔を有する容器内に揮発性を有する薬剤を収容した揮散装置が知られている。この種の揮散装置においては、容器内の薬剤は、経時的に揮散して減少する。このため、薬剤の上面と揮散孔との間の距離が経時的に広がる。このように、薬剤の表面から揮散孔までの距離が長くなると、薬剤の表面に接触する空気の流れが悪くなり、薬剤の揮散量が徐々に低下する。
【０００３】
このため、薬剤の減少に応じて揮散孔を大きくする構成を備えた揮散装置が知られている。
【先行技術文献】
【特許文献】
【０００４】
【特許文献１】特開２００３−３００５６６号公報
【発明の概要】
【発明が解決しようとする課題】
【０００５】
上述した従来の揮散装置のように、薬剤の減少に応じて揮散孔を大きくすると、揮散装置の使用開始直後であれば薬剤の揮散量の減少をある程度抑えることができる。しかし、例えば薬剤の残量が半分以下にまで減少した場合などには、薬剤の表面と揮散孔との間の距離が長くなり、薬剤の揮散量の減少を抑えることができなくなる。
【０００６】
本発明は、上記の点に鑑みてなされたもので、薬剤の揮散量の経時的な減少を長期にわたって抑制することができる揮散装置を提供することを目的とする。
【課題を解決するための手段】
【０００７】
本発明の揮散装置の一態様は、筒状の周壁と、周壁の一端を塞ぐ底壁と、薬剤を揮散させる揮散孔を有し、周壁の他端に着脱可能に設けた蓋体と、を有する。周壁は、一端と他端の間で当該周壁を分割する分割部分を有する。
【０００８】
また、本発明の揮散装置の一態様は、筒状の周壁と、周壁の一端を塞ぐ底壁と、薬剤を揮散させる揮散孔を有し、周壁の他端に着脱可能に設けた蓋体と、を有する外容器と、外容器内に収容配置され、周壁の他端側に蓋体に対向する開口部を有し、揮発性を有する薬剤を収容した内容器と、を有する。外容器の周壁は、一端と他端の間で当該周壁を分割する第１分割部分を有する。内容器は、外容器の第１分割部分に対向する位置で当該内容器を分割する第２分割部分を有する。
【発明の効果】
【０００９】
本発明の一態様によれば、薬剤の揮散量の経時的な減少を長期にわたって抑制することができる揮散装置を提供することができる。
【図面の簡単な説明】
【００１０】
【図１】図１は、実施形態に係る揮散装置を示す斜視図である。
【図２】図２は、図１の揮散装置の内容器を示す斜視図である。
【図３】図３は、図１の揮散装置の周壁を分割した状態の斜視図である。
【発明を実施するための形態】
【００１１】
以下、本発明の実施形態について図面を参照して説明する。  
図１に示すように、実施形態に係る揮散装置１０は、筒状の周壁２と、周壁２の図示下端（一端）を塞ぐ底壁４と、周壁２の図示上端（他端）に着脱可能に設けた蓋体６と、を有する。周壁２、底壁４、および蓋体６は、外容器８として機能する。また、揮散装置１０は、図２に示すように、芳香剤や消臭剤などの揮発性を有する薬剤Ｙを収容した内容器２０を有する。内容器２０は、外容器８内に収容配置される。
【００１２】
外容器８の周壁２、底壁４、および蓋体６は、例えば、紙により形成されている。外容器８を形成する材料は、紙に限らず、樹脂などを用いることができる。周壁２、底壁４、および蓋体６は、互いに異なる材料を用いて形成してもよい。内容器２０は、内部に収容した薬剤Ｙを外側から視認可能にするため、透明な材料により形成されている。内容器２０を形成する材料は、薬剤Ｙが外側に染み出ない透明な材料であればよく、樹脂などの種々の材料を用いることができる。或いは、内容器２０は、内面に薬剤Ｙを浸透させないコーティングを施した材料により形成してもよい。
【００１３】
外容器８の周壁２は、例えば四角筒状に形成されており、内部を視認可能にする少なくとも１つの窓部１１を有する。周壁２は、四角筒状に限らず、円筒状、楕円筒状、多角筒状など、筒状であればいかなる形状であってもよい。窓部１１は、外容器８の内部に収容する内容器２０内の薬剤Ｙの残量を外容器８の外側から視認可能なものであればよく、その形状、大きさ、個数、レイアウトなどは任意に設定することができる。しかし、窓部１１は、外容器８の十分な剛性を確保することができる程度に設ける必要がある。
【００１４】
本実施形態では、窓部１１は、外容器８の周壁２を構成する４つの壁２ａ、２ｂ、２ｃ、２ｄのうち１つの壁２ａを貫通して設けた。窓部１１を設ける壁２ａは、周壁２の４つの壁２ａ、２ｂ、２ｃ、２ｄのうち幅の広い壁２ｂ、２ｄであってもよく、幅の狭い壁２ａ、２ｃであってもよい。また、窓部１１は、壁２ａだけではなく、他の壁２ｂ、２ｃ、２ｄにも設けることができる。本実施形態では、それぞれ外容器８の上下に延びて、上下に離間して並んだ長方形の２つの窓部１１ａ、１１ｂを壁２ａにのみ設けた。
【００１５】
また、周壁２は、周壁２を上下に２分割するための切り取り帯１２（分割部分、第１分割部分）を含む。切り取り帯１２は、周壁２の周方向に沿って点線状に貫通した複数の孔（以下、切り取り線Ｌ１、Ｌ２と称する）を２本設けることで形成されている。つまり、切り取り帯１２は、２本の切り取り線Ｌ１、Ｌ２の間の周壁２の一部である。
【００１６】
切り取り線Ｌ１は、上述した２つの窓部１１ａ、１１ｂのうち図示上方（底壁４から離間した側）の窓部１１ａの図示下端縁に沿って設けられている。つまり、切り取り線Ｌ１は、窓部１１ａの下端縁を通る底壁４と平行な線である。切り取り線Ｌ２は、切り取り線Ｌ１の図示下方に離間して切り取り線Ｌ１と平行に設けられている。切り取り線Ｌ２は、２つの窓部１１ａ、１１ｂの間に形成されている。２本の切り取り線Ｌ１、Ｌ２は、それぞれ、周壁２の全周をつなぐように形成されている。
【００１７】
さらに、周壁２は、上述した２本の切り取り線Ｌ１、Ｌ２を上下方向につなぐ点線状の孔（以下、切り取り線Ｌ３と称する）を有する。この切り取り線Ｌ３は、切り取り線Ｌ１、Ｌ２と交差する方向に延びている。切り取り線Ｌ３の図示上端は、図示上方の窓部１１ａの下端縁につながる。
【００１８】
外容器８の蓋体６は、周壁２の図示上端開口を覆う矩形の天壁６ａ、および天壁６ａの４つの辺に連続した４つの矩形の壁を環状につなげた裾壁６ｂを有する。裾壁６ｂは、天壁６ａの周辺から天壁６ａと直交する図示下方に延設されている。蓋体６を図１に示すように周壁２の上端に取り付けると、裾壁６ｂが周壁２の外側に重なる。言い換えると、天壁６ａは、底壁４より一回り大きい矩形板状に形成されている。
【００１９】
蓋体６の天壁６ａは、複数個の揮散孔１３を有する。本実施形態では、４つの矩形の揮散孔１３を１列に並べて２列に配列した。これら８つの揮散孔１３は、周壁２の内側の空間に対向する位置に設けられている。揮散孔１３の大きさ、個数、形状、レイアウトなどは任意に設定することができる。揮散孔１３は、薬剤Ｙを揮散させるための孔であるが、薬剤Ｙの残量を外側から視認するための視認用の孔としても機能する。
【００２０】
図２に示すように、本実施形態の内容器２０は、概ね、透明な２枚の矩形の樹脂フィルムを重ねて周囲を封着した構造を有する。内容器２０の構造はいかなるものであってもよく、外容器８の周壁２の内側に収容可能なサイズを有するものであればよい。本実施形態の内容器２０は、いわゆるスタンディングパウチと呼ばれる容器であり、自立可能な容器である。図２では、薬剤Ｙを収容した内容器２０の上端を一部切り取って、内容器２０の上端に開口部２１を形成した状態を図示している。
【００２１】
内容器２０内には、薬剤Ｙが収容され、未使用の状態で内部が密閉されている。薬剤Ｙとして、上述した芳香剤や消臭剤の他に殺虫剤などを内容器２０内に収容することができる。薬剤Ｙは、液状であってもよく、ゲル状や固体状のものであってもよい。内容器２０は、使用時に、図２に示すように上端を開口する。内容器２０は、上端を開口した図２に示す状態で、外容器８内に収容される。このため、外容器８内に内容器２０を収容配置すると、外容器８の底壁４の内面に内容器２０が載置され、内容器２０の上端の開口部２１が蓋体６の内面に対向する。
【００２２】
内容器２０は、外容器８内に収容配置した状態で、外容器８の周壁２に設けた切り取り帯１２に対向する２つの切欠き２２を有する。２つの切欠き２２は、外容器８の切り取り帯１２に対向する位置で内容器２０を２分割するための分割部分（第２分割部分）として機能する。本実施形態では、内容器２０の２枚の樹脂フィルムを封着した２つの側辺のそれぞれに三角形の切欠き２２を設けた。２つの切欠き２２は、内容器２０の底２０ａから上方に同じ距離だけ離間した位置に設けられている。
【００２３】
以下、上述した揮散装置１０の使用方法について説明する。  
まず、外容器８の蓋体６を周壁２の上端から取り外した状態で、図２に示すように上端を開口した内容器２０を周壁２の上端側から周壁２の内側に挿入配置する。これにより、内容器２０の底２０ａが外容器８の底壁４の内面上に載置され、周壁２の内側で内容器２０が自立する。
【００２４】
この後、蓋体６を周壁２の上端に被せる。これにより、内容器２０の開口部２１が蓋体６の天壁６ａの内面に対向する。つまり、蓋体６の複数の揮散孔１３が内容器２０の開口部２１に対向する。この状態で、蓋体６の複数の揮散孔１３を通して空気が流通すると、内容器２０内に収容した薬剤Ｙに空気が触れて薬剤Ｙが揮散される。揮散した薬剤Ｙは、蓋体６の複数の揮散孔１３を介して揮散装置１０の外部へ放出される。
【００２５】
揮散装置１０の使用開始から時間が経つと、内容器２０内の薬剤Ｙが経時的に減少し、薬剤Ｙの上面が内容器２０の底２０ａに近づくように下降する。このように、薬剤Ｙの上面が下降すると、薬剤Ｙの上面と揮散孔１３との間の距離が広がり、複数の揮散孔１３を通して流通する空気が薬剤Ｙに触れ難くなり、薬剤Ｙの揮散量が減少する。薬剤Ｙの残量は、外容器８の窓部１１ａ、１１ｂを介して外部から視認可能であり、薬剤Ｙの上面がどの程度下降したのかを容易に判断することができる。
【００２６】
このため、本実施形態では、外容器８の周壁２を上下に２分割可能な構造にし、且つ内容器２０も上下に２分割可能な構造にした。つまり、揮散装置１０の使用者は、外容器８の窓部１１を介して、薬剤Ｙの残量が所定量を下回ったことを判断すると、外容器８の周壁２を部分的に切り取るとともに、内容器２０を部分的に切り取る。なお、ここで言う所定量とは、薬剤Ｙの上面が下方の窓部１１ｂを介して視認可能となる量であり、少なくとも切り取り線Ｌ２より下まで薬剤Ｙの上面が下降した程度の残量を指す。
【００２７】
具体的には、薬剤Ｙの残量が所定量を下回った場合、使用者は、蓋体６を周壁２の上端から取り外し、内容器２０を外容器８から取り出す。そして、使用者は、外容器８の周壁２に設けた切り取り帯１２を切り取り、周壁２の上下方向の長さを短くする。このとき、使用者は、まず、周壁２の上方の窓部１１ａの下端縁に指をかけ、切り取り線Ｌ３で切り取り帯１２を切る。そして、使用者は、周壁２の全周にわたって切り取り線Ｌ１、Ｌ２を切り、切り取り帯１２を周壁２から切除する。これにより、外容器８の周壁２の上下方向の長さが短くなる。
【００２８】
また、このとき、使用者は、内容器２０の切欠き２２の位置で内容器２０を一部切り取り、内容器２０の上下方向の長さを短くする。そして、使用者は、このように短くした内容器（図示せず）を上記のように短くした外容器９（図３）内に収容し、蓋体６を短くなった周壁２の上端に被せる。この状態で、短くされた内容器は、周壁２を短くされた外容器９内で底壁４の内面上で自立し、内容器２０を一部切り取った後の新たな開口部（図示せず）が蓋体６の内面に対向する。図３は、周壁２を短くした状態の揮散装置３０を示す外観斜視図である。
【００２９】
内容器２０の底２０ａから切欠き２２までの高さは、外容器８の底壁４から切り取り線Ｌ２までの高さ未満に設定されている。このため、短くした周壁２の上端に蓋体６を被せた図３の状態で、天壁６ａの内面と内容器２０の新たな開口部との間にはわずかな隙間が形成される。そして。この揮散装置３０は、蓋体６の複数の揮散孔１３を介して空気が流通することで、薬剤Ｙを揮散させる。
【００３０】
以上、本実施形態のように、薬剤Ｙが経時的に減少した際に、揮散装置１０の上下方向の寸法を短くすることで、薬剤Ｙの上面と揮散孔１３（蓋体６の天壁６ａ）との間の距離を短くすることができ、薬剤Ｙの揮散量の減少を抑えることができる。つまり、上下方向の寸法を短くした揮散装置３０では、複数の揮散孔１３を介して流通する空気が薬剤Ｙの上面に触れ易くなり、揮散装置１０の使用開始直後の揮散量と同程度の揮散量に戻すことができ、薬剤Ｙの揮散量の経時的な減少を長期にわたって抑制することができる。
【００３１】
また、本実施形態では、外容器８の周壁２に設けた２つの窓部１１ａ、１１ｂのうち図示上方の窓部１１ａの下端縁に沿って切り取り線Ｌ１を設けたため、外容器８に必要な剛性を確保した上で、切り取り帯１２を周壁２から切除し易くすることができる。つまり、窓部１１ａは、薬剤Ｙの残量を確認するための開口部として機能することに加え、切り取り帯１２を切除する際に指をかける部分として機能する。このため、窓部１１ａに２つの機能を持たせることができ、外容器８の剛性を低下させる窓部１１の数を少なくすることができる。
【００３２】
また、本実施形態によると、薬剤Ｙの残量が使用開始直後の量の半分以下になったときに、外容器８の周壁２の上下方向の長さを短くするとともに、内容器２０の上下方向の長さを短くすることができるため、揮散装置３０を倒れ難くすることができる。つまり、薬剤Ｙの残量が半分以下になった状態で揮散装置１０の重心と揮散装置１０の上端との間の距離が長いままだと、揮散装置１０の上端近くに人や物が接触した際に揮散装置１０を傾倒させる比較的大きなモーメントが作用する。これに対し、本実施形態のように、薬剤Ｙの減少に応じて揮散装置３０の上下方向の長さを短くすると、揮散装置３０の重心と上端との間の距離を短くすることができ、揮散装置３０の上端近くに人や物が接触した際のモーメントを比較的小さく抑えることができる。よって、本実施形態のように、薬剤Ｙの残量が半分以下になった際に揮散装置１０の上下方向の長さを短くすることで、揮散装置３０を倒れ難くすることができる。
【００３３】
さらに、本実施形態によると、薬剤Ｙの残量が半分以下になった際に、揮散装置１０の上下方向の長さを短くすることができるため、揮散装置３０の高さを低くすることができ、省スペース化を図ることができる。
【００３４】
以上、実施形態に基づいて本発明を説明したが、本発明は、上述した実施形態に限定されるものではなく、本発明の要旨の範囲内で種々の変形や応用が可能なことは勿論である。
【００３５】
例えば、上述した実施形態では、薬剤Ｙを収容した内容器２０を外容器８の中に配置した揮散装置１０について説明したが、これに限らず、内容器２０を持たずに外容器８に直接薬剤Ｙを収容した揮散装置に本発明を適用することもできる。この場合、外容器８を形成する材料を、薬剤Ｙが染み出ない材料にすればよい。或いは、外容器８の内面に薬剤Ｙが浸透しない樹脂フィルムを貼り付けたり、薬剤Ｙが浸透しないコーティングを施したりしてもよい。
【００３６】
また、上述した実施形態では、外容器８の周壁２に１本の切り取り帯１２を設けて周壁２を上下に２分割可能としたが、これに限らず、切り取り帯１２を上下に離間して複数本設けて周壁２を３つ以上の部分に分割可能としてもよい。
【符号の説明】
【００３７】
２…周壁、  ２ａ…壁、  ４…底壁、  ６…蓋体、  ６ａ…天壁、  ８、９…外容器、  １０、３０…揮散装置、  １１、１１ａ、１１ｂ…窓部、  １２…切り取り帯、  １３…揮散孔、  ２０…内容器、  ２０ａ…底、  ２１…開口部、  ２２…切欠き、  Ｌ１〜Ｌ３…切り取り線、  Ｙ…薬剤。
【図１】
2020078390.tif 000003
【図２】
2020078390.tif 000004
【図３】
2020078390.tif 000005